【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
ユーザによって範囲指定された地図画像を表示する地図情報表示システムにおいて、
前記範囲指定された地図に係る表示項目情報を受信する情報受信手段と、
前記表示項目情報に基づいて、図式設定情報を含む表示設定情報を生成する設定情報作成手段と、
前記表示設定情報を送信する設定情報送信手段と、
前記表示設定情報に従って作成された地図画像を受信する地図画像受信手段と、
受信した前記地図画像を表示する手段と
を有することを特徴とする地図情報表示システム。
【請求項２】
ユーザによって範囲指定された地図画像を表示する地図情報表示システムにおいて、
前記範囲指定された地図に係る表示項目情報を作成する表示情報作成手段と、
前記表示項目情報に基づいて、図式設定情報を含む表示設定情報を生成する設定情報作成手段と、
前記表示設定情報に従って前記地図に係るベクトル地図情報から地図画像を作成する地図画像作成手段と、
前記地図画像を表示する地図画像表示手段と、を有し、
前記表示項目情報は、通信ネットワークを介して前記設定情報作成手段に伝送され、前記表示設定情報は、前記通信ネットワークを介して前記地図画像作成手段に伝送され、そして、前記地図画像は、前記通信ネットワークを介して前記地図画像表示手段に伝送されることを特徴とする地図情報表示システム。
【請求項３】
前記設定情報作成手段は、前記表示項目情報に基づいて、表示するレイヤを選択し、選択した該レイヤの図形表示項目又は文字表示項目を選択し、該図形表示項目又は該文字表示項目について、予め設定された図形図式又は文字図式を使用した前記表示設定情報を生成することを特徴とする請求項１又は２に記載の地図情報表示システム。
【請求項４】
前記設定情報作成手段は、前記表示項目情報に基づいて、表示するレイヤを選択し、選択した該レイヤの図形表示項目又は文字表示項目を選択し、該図形表示項目又は該文字表示項目について、ユーザ独自の図形図式又は文字図式を設定した前記表示設定情報を生成することを特徴とする請求項１又は２に記載の地図情報表示システム。
【請求項５】
前記設定情報作成手段は、前記表示項目情報に含まれるレイヤの重ね合わせ順番を設定することを特徴とする請求項１乃至４のいずれか一項に記載の地図情報表示システム。
【請求項６】
前記表示設定情報に名前を付けて保存し、また、前記地図情報表示システム起動時に、保存された前記表示設定情報を初期表示設定情報とすることを特徴とする請求項１又は２に記載の地図情報表示システム。
【請求項７】
前記地図画像は、表示縮尺に応じた前記表示設定情報を反映していることを特徴とする請求項２に記載の地図情報表示システム。
【請求項８】
ユーザによって範囲指定された地図画像を表示する地図情報表示システムにおいて、
前記範囲指定された地図に係る表示項目情報を作成する表示項目情報作成手段と、
前記表示項目情報を送信する表示情報送信手段と、
前記表示項目情報に基づいて生成された、図式設定情報を含む表示設定情報を受信する設定情報受信手段と、
前記表示設定情報に従って前記地図に係るベクトル地図情報から地図画像を作成する地図画像作成手段と、
前記地図画像を送信する地図画像送信手段と、
を有することを特徴とする地図情報表示システム。
【請求項９】
前記表示設定情報は、表示するレイヤに関する図形図式又は文字図式を含んでいることを特徴とする請求項８に記載の地図情報表示システム。
【請求項１０】
前記表示設定情報は、表示するレイヤの重ね合わせ順番を含んでいることを特徴とする請求項８に記載の地図情報表示システム。
【請求項１１】
前記図形図式は、前記レイヤが点図形である場合に、記号タイプ情報、パターン情報、サイズ情報、色情報、透明度情報のいずれかの設定を含むことを特徴とする請求項４又は９に記載の地図情報表示システム。
【請求項１２】
前記図形図式は、前記レイヤが線図形である場合に、パターン情報、サイズ情報、色情報、透明度情報のいずれかの設定を含むことを特徴とする請求項４又は９に記載の地図情報表示システム。
【請求項１３】
前記図形図式は、前記レイヤが面図形である場合に、面内部に対して、パターン情報、色情報、透明度情報のいずれかの設定を含み、また、面境界線に対して、パターン情報、サイズ情報、色情報、透明度情報のいずれかの設定を含むことを特徴とする請求項４又は９に記載の地図情報表示システム。
【請求項１４】
前記図形図式は、分類区分又はランク区分の設定と、該分類区分名称又は該ランク区分名称の設定のいずれかを含むことを特徴とする請求項１１乃至１３のいずれか一項に記載の地図情報表示システム。
【請求項１５】
前記文字図式は、フォント情報、サイズ情報、色情報、配置情報のいずれかの設定を含むことを特徴とする請求項４又は９に記載の地図情報表示システム。
【手続補正２】
【補正対象書類名】明細書
【補正対象項目名】０００９
【補正方法】変更
【補正の内容】
【０００９】
本発明による範囲指定された地図画像を表示する地図情報表示システムでは、範囲指定した地図に係る表示項目情報を受信する情報受信手段と、表示項目情報に基づいて、図式設定情報を含む表示設定情報を生成する設定情報作成手段と、表示設定情報を送信する設定情報送信手段と、表示設定情報に従って作成された地図画像を受信する地図画像受信手段と、受信した前記地図画像を表示する手段とを備えた。
【手続補正３】
【補正対象書類名】明細書
【補正対象項目名】００１０
【補正方法】変更
【補正の内容】
【００１０】
また、本発明による地図情報表示システムでは、範囲指定された地図に係る表示項目情報を作成する表示情報作成手段と、表示項目情報に基づいて、図式設定情報を含む表示設定情報を生成する設定情報作成手段と、表示設定情報に従って地図に係るベクトル地図情報から地図画像を作成する地図画像作成手段と、地図画像を表示する地図画像表示手段とを備え、表示項目情報は、通信ネットワークを介して設定情報作成手段に伝送され、表示設定情報は、通信ネットワークを介して地図画像作成手段に伝送され、そして、地図画像は、通信ネットワークを介して地図画像表示手段に伝送されるようにした。
【手続補正４】
【補正対象書類名】明細書
【補正対象項目名】００１１
【補正方法】変更
【補正の内容】
【００１１】
設定情報作成手段では、表示項目情報に基づいて、表示するレイヤを選択し、選択したレイヤの図形表示項目又は文字表示項目を選択し、該図形表示項目又は該文字表示項目について、予め設定された図形図式又は文字図式を使用した表示設定情報を生成することとした。
【手続補正５】
【補正対象書類名】明細書
【補正対象項目名】００１２
【補正方法】変更
【補正の内容】
【００１２】
また、設定情報作成手段では、表示項目情報に基づいて、表示するレイヤを選択し、選択したレイヤの図形表示項目又は文字表示項目を選択し、該図形表示項目又は該文字表示項目について、ユーザ独自の図形図式又は文字図式を設定した表示設定情報を生成するようにした。
【手続補正６】
【補正対象書類名】明細書
【補正対象項目名】００１３
【補正方法】変更
【補正の内容】
【００１３】
更に、表示項目情報に含まれるレイヤの重ね合わせ順番を設定することもできるようにした。
【手続補正７】
【補正対象書類名】明細書
【補正対象項目名】００１４
【補正方法】変更
【補正の内容】
【００１４】
更に、表示設定情報に名前を付けて保存し、また、地図情報表示システム起動時に、保存された表示設定情報を初期表示設定情報とすることとした。
【手続補正８】
【補正対象書類名】明細書
【補正対象項目名】００１５
【補正方法】変更
【補正の内容】
【００１５】
地図画像は、表示縮尺に応じた表示設定情報を反映していることとした。
【手続補正９】
【補正対象書類名】明細書
【補正対象項目名】００１６
【補正方法】変更
【補正の内容】
【００１６】
また、本発明の地図情報表示システムでは、前記範囲指定された地図に係る表示項目情報を作成する表示項目情報作成手段と、前記表示項目情報を送信する表示情報送信手段と、前記表示項目情報に基づいて生成された、図式設定情報を含む表示設定情報を受信する設定情報受信手段と、前記表示設定情報に従って前記地図に係るベクトル地図情報から地図画像を作成する地図画像作成手段と、前記地図画像を送信する地図画像送信手段と、を備えた。
【手続補正１０】
【補正対象書類名】明細書
【補正対象項目名】００１７
【補正方法】変更
【補正の内容】
【００１７】
そして、前記表示設定情報は、表示するレイヤに関する図形図式又は文字図式を含んでいることとした。
【手続補正１１】
【補正対象書類名】明細書
【補正対象項目名】００１８
【補正方法】変更
【補正の内容】
【００１８】
前記表示設定情報は、表示するレイヤの重ね合わせ順番を含んでいることとした。
【手続補正１２】
【補正対象書類名】明細書
【補正対象項目名】００１９
【補正方法】変更
【補正の内容】
【００１９】
前記図形図式は、前記レイヤが点図形である場合に、記号タイプ情報、パターン情報、サイズ情報、色情報、透明度情報のいずれかの設定を含むこととした。
【手続補正１３】
【補正対象書類名】明細書
【補正対象項目名】００２０
【補正方法】変更
【補正の内容】
【００２０】
前記図形図式は、前記レイヤが線図形である場合に、パターン情報、サイズ情報、色情報、透明度情報のいずれかの設定を含むこととした。
【手続補正１４】
【補正対象書類名】明細書
【補正対象項目名】００２１
【補正方法】変更
【補正の内容】
【００２１】
前記図形図式は、前記レイヤが面図形である場合に、面内部に対して、パターン情報、色情報、透明度情報のいずれかの設定を含み、また、面境界線に対して、パターン情報、サイズ情報、色情報、透明度情報のいずれかの設定を含むこととした。
【手続補正１５】
【補正対象書類名】明細書
【補正対象項目名】００２２
【補正方法】変更
【補正の内容】
【００２２】
前記図形図式は、分類区分又はランク区分の設定と、該分類区分名称又は該ランク区分名称の設定のいずれかを含むこととした。
【手続補正１６】
【補正対象書類名】明細書
【補正対象項目名】００２３
【補正方法】変更
【補正の内容】
【００２３】
前記文字図式は、フォント情報、サイズ情報、色情報、配置情報のいずれかの設定を含むこととした。
【手続補正１７】
【補正対象書類名】明細書
【補正対象項目名】００３６
【補正方法】変更
【補正の内容】
【００３６】
図３は、各レイヤ、各項目毎の図式設定の内容を示した図である。
【手続補正１８】
【補正対象書類名】明細書
【補正対象項目名】００３７
【補正方法】変更
【補正の内容】
【００３７】
次に、以上で説明した地図表示設定の内容がどのようにカスタマイズされるかをより具体的に理解するため、クライアント１で行う設定操作の詳細について図４から図６の表示画面を使い説明する。
【手続補正１９】
【補正対象書類名】明細書
【補正対象項目名】００４３
【補正方法】変更
【補正の内容】
【００４３】
ユーザが地図表示の設定変更の操作を完了した後、この設定を保存し、再利用可能とすることができる。地図表示の設定を新規に登録する操作を行う場合は、Ｈ１７の新規表示設定名称登録のボタンを選択し、Ｈ１８のボックスに表示設定に対する名称を打ち込み、Ｈ１９の作成ボタンを押す。また、以前にユーザが作成し登録してある表示設定を使用して地図表示する場合には、表示設定名称選択のボタンＨ２０を設定し、Ｈ２１のプルダウンメニューから必要とする表示設定を選択する。選択した表示設定によってシステムの起動時自動的に地図表示を行わせる場合には、Ｈ２２にチェックを入れる。選択した表示設定をサーバに送信する時に選択ボタンＨ２３を押す。また既に登録済みの表示設定を削除する場合は、Ｈ２１で削除する表示設定名称を選択後、Ｈ２４のボタンで削除の指示を行う。この登録・選択のサブウインドＷ７を閉じる場合にＨ２５のボタンを使用する。
【手続補正２０】
【補正対象書類名】明細書
【補正対象項目名】００４６
【補正方法】変更
【補正の内容】
【００４６】
次に、図で選択した地域の地図に対して地図表示の設定を変更する操作方法について、図７から図１０を使い説明する。
【手続補正２１】
【補正対象書類名】明細書
【補正対象項目名】００６１
【補正方法】変更
【補正の内容】
【００６１】
文字表示も図形表示と同じく１レイヤに１データ項目のみ表示ＯＮに設定できる。
【手続補正２２】
【補正対象書類名】明細書
【補正対象項目名】００６９
【補正方法】変更
【補正の内容】
【００６９】
Ｈ４２の「分類文字またはランク上限値」欄を変更する場合は、該当する項目の数値を変更し、「凡例表示名」欄の変更は、該当する項目に変更する名称を記入する。図例は分類図の場合である。点種類欄は、変更する項目のボックスを指定しクリックするとＨ４１で指定した種類に相当する表示パターンが表示される。この表示パターンの例がイメージ記号は図１２（ａ）に、ベクトル記号は図１２（ｂ）に、文字記号は図１２（ｃ）に示され、この中から適切な図形表示を選択できる。色についても同様の操作で変更する項目のボックスを指定しクリックすると図１３の色パレットＷ１３が表示されこの中から適切な色を選択できる。サイズと透明度は変更したい数値を該当する項目に入力できる。イメージ記号に対しては、色やサイズは固定のため、これらの項目の変更要求は無効となっている。
【手続補正２３】
【補正対象書類名】明細書
【補正対象項目名】００７７
【補正方法】変更
【補正の内容】
【００７７】
図７の「設定変更」のボタンＨ１３を押すと、図１８に示す画面が表示される。画面の上部に選択したレイヤ名Ｈ３０と文字の表示縮尺Ｈ３１、Ｈ３２が表示され、下部Ｈ５９〜Ｈ６３に文字表示の設定可能な項目が表示される。